(57)【特許請求の範囲】
【請求項１】
建造物躯体に固着された通しアングルに鉛直部と該鉛直部下端に直角に連設された水平部とから成る自重受け金具を前記鉛直部を介して取付けた自重受け金具であって、該自重受け金具の前記水平部上面に、仕切りリブ部により画成された複数の中空部を有する壁パネルが、敷きプレートの水平部を介して載置支持され、更に、該敷きプレートの該水平部上面に板パネル部が一体に設けられ、該板バネ部を前記壁パネルの中空部の仕切りリブ部に両側から挟着して該壁パネルに取付けて成ることを特徴とする壁パネルの設置構造。
【請求項２】
上記壁パネル支持部材が建造物躯体に固着された通しアングル、或いは、該通しアングルに固定された自重受け金具であることを特徴とする請求項１記載の壁パネル用敷きプレート。
【発明の詳細な説明】
【技術分野】
【０００１】
本発明は壁パネルの設置構造に関するものであり、特に、中空状の壁パネルと壁パネル支持部材との間に壁パネル用敷きプレートを介装して壁パネルを設置するようにした壁パネルの設置装置に関するものである。
【背景技術】
【０００２】
従来、此種の壁パネルの設置構造においては、梁等の建造物躯体に壁パネル支持部材を固定し、該壁パネル支持部材と壁パネルの間に敷きプレート（ロッキングプレート）を設けたものが知られている（特許文献１参照）。
【特許文献１】特開平１０−２８０５９６号公報
【発明の開示】
【発明が解決しようとする課題】
【０００３】
上記敷きプレートにより、地震時などおいて壁パネルのロッキングの動きがスムーズになり、建造物躯体から壁パネルに応力が伝達されることを防止できる。
【０００４】
従来の敷きプレートの構成例を図７に示す。同図において、敷きプレート３０は方形の平板部３１と該平板部３１の上面に固設された板バネ部（拡開式圧着部）３２とから成る。該板バネ部３２の両側面は縦断面へ字形に折曲形成され、該板バネ部３２の両側面が外方へ互いに離反するように拡開することにより、該板バネ部３２の外方にバネ作用が発生するように構成されている。
【０００５】
前記敷きプレート３０を壁パネル３３に取り付ける際は、敷きプレート３０の板バネ部３２の両側面が壁パネル３３の厚さ方向S（壁パネル３３の長手方向と直角な方向）にて互いに対峙するように配置して、該板バネ部３２を壁パネル３３の中空部（ホロー部）３４内に押し込むことにより、壁パネル３３の中空部３４内壁面に板バネ部３２の両側面を圧接させ、前記敷きプレート３０を壁パネル３３に取り付けている。
【０００６】
なお、図８中の符号３５は、敷きプレート３０の下側に配設された板状の壁パネル支持部材（フラットバー）、また、符号３６は該壁パネル支持部材３５を壁パネル設置面に固定するアンカーピンである。
【０００７】
このように、前記敷きプレート３０は板バネ部３２の拡開力により壁パネル３３の中空部３４内壁面に強く圧接して装着固定される。したがって、例えば敷きプレート３０の板バネ部３２の拡開幅が壁パネル３３の中空部３４の開口幅よりも所定値以上大きい場合、壁パネル３３の中空部３４内壁面は、敷きプレート３０の板バネ部３２から必要以上に大きな圧接力を受ける。その結果、該板バネ部３２の圧接力により壁パネル３３の中空部３４壁面が損傷するという問題があった。
【０００８】
また、敷きプレート３０は、板バネ部３２の両側面が壁パネル３３の長手方向と平行関係を有して取り付けられるので、地震等により敷きプレート３０に壁パネル３３の長手方向の力が作用した場合、敷きプレート３０が壁パネル３３に対して長手方向に位置ずれ又はガタツキを生じて、敷きプレート３０の取り付け安定性が低下することがある。
【０００９】
そこで、壁パネルを損傷させることなく、該壁パネルに敷きプレートを容易に固定でき、建造物躯体から壁パネルに応力が伝達されることを防止し、且つ、使用時における壁パネルに対する敷きプレートの取付けを安定的に向上させるために解決すべき技術的課題が生じてくるのであり、本発明は該課題を解決することを目的とする。
【課題を解決するための手段】
【００１０】
本発明は上記目的を達成するために提案されたものであり、請求項１記載の発明は、建造物躯体に固着された通しアングルに鉛直部と該鉛直部下端に直角に連設された水平部とから成る自重受け金具を前記鉛直部を介して取付けた自重受け金具であって、該自重受け金具の前記水平部上面に、仕切りリブ部により画成された複数の中空部を有する壁パネルが、敷きプレートの水平部を介して載置支持され、更に、該敷きプレートの該水平部上面に板パネル部が一体に設けられ、該板バネ部を前記壁パネルの中空部の仕切りリブ部に両側から挟着して該壁パネルに取付けて成ることを特徴とする壁パネルの設置構造を提供する。
【００１１】
請求項１記載の発明によれば、略コ字状又はΩ状の板バネ部を有する敷きプレートを壁パネルに取り付ける際は、前記板バネ部の両側面が壁パネルの厚さ方向と平行になるように敷きプレートを配置し、該板バネ部により壁パネルの仕切りリブ部を両側から挟持して取り付けられる。
【００１２】
従って、本発明は、壁パネルの中空部内壁両面に大きな拡開力が作用する従来方式とは異なり、壁パネル内部の仕切りリブ部に敷きプレートの板バネ部を挟着して取り付けるので、該板バネ部の弾性力を従来に比べて小さく設定しても、壁パネルに敷きプレートが強固に固定される。
【発明の効果】
【００１５】
請求項１記載の発明は、壁パネル内部の仕切りリブ部に敷きプレートの板バネ部を挟着することにより、該板バネ部の弾性力を小さく設定しても、該壁パネルに敷きプレートを確実容易に取り付けることができ、従来のように壁パネルの内面が損傷することを防止できる。
【００１６】
また、敷きプレートは壁パネルの長手方向から挟持して装着するので、例えば地震等に伴い前記長手方向の力が敷きプレートに作用しても、該敷きプレートが位置ずれ又はがたつきを生ずることがなく、敷きプレートの取付け安定性が従来に比べて著しく向上する。
【発明を実施するための最良の形態】
【００１８】
本発明は、壁パネルを損傷させることなく、該壁パネルに敷きプレートを容易に固定でき、使用時における壁パネルに対する敷きプレートの取付け安定性を向上させ、且つ、地震時等における建造物躯体から壁パネルに応力が伝達されるのを極力防止できるようにするという目的を達成するため、建造物躯体に固着された通しアングルに鉛直部と該鉛直部下端に直角に連設された水平部とから成る自重受け金具を前記鉛直部を介して取付けた自重受け金具であって、該自重受け金具の前記水平部上面に、仕切りリブ部により画成された複数の中空部を有する壁パネルが、敷きプレートの水平部を介して載置支持され、更に、該敷きプレートの該水平部上面に板パネル部が一体に設けられ、該板バネ部を前記壁パネルの中空部の仕切りリブ部に両側から挟着して該壁パネルに取付けて成ることを特徴とする壁パネルの設置構造を提供することにより実現した。
【実施例】
【００１９】
以下、本発明の一実施例を図１乃至図７に従って説明する。図１において、１は下層の壁パネル、２は壁パネル１の上側に配設された上層の壁パネルである。これら壁パネル１,２は押出成形セメント板により形成されている。各壁パネル１,２の内部には、上下方向に伸びる複数の中空部３が形成され、該複数の中空部３は、仕切りリブ部により壁パネル１,２の厚さ（パネル長手方向に対して直角な方向。図４参照の符号S参照）に画成されている。
【００２０】
また、図１における壁パネル２の室内側（図１における右側）には、梁等の建物躯体４が水平に設けられ、該建造物躯体４はＬ形綱またはＨ形綱により形成されている。更に、建造物躯体４には、鉛直フランジ５と水平フランジ６から成る側面Ｌ形の通しアングル７が固着されている。この通しアングル７は、建造物躯体４の上面側縁部に沿って直接溶接にて固定されているが、ピースアングルを介して一体に固着することもできる。
【００２１】
通しアングル７の長手方向中央部には、壁パネル２を垂直に支持するための自重受け金具（パネル支持部材）８が固定されている。該自重受け金具８は、壁パネル２の室内側表面に当接する鉛直部９と、該鉛直部９の下端外側に直角に連設された水平部１０とから成る。
【００２２】
図２に示すように、自重受け金具８の鉛直部９の左右両側には、縦断面Z形（稲妻形）に形成された垂下片１１,１１が設けられている。該垂下片１１,１１の下側部分と前記鉛直部９との間には、側面視において所定の隙間を有する空間部が形成され、該空間部には通しアングル７の鉛直フランジ５が嵌合固定されている。
【００２３】
下層の壁パネル１と上層の壁パネル２間にはシーリング材又はガスケット１４が介装されている。なお、自重受け金具８の鉛直部９と壁パネル２間には、所要の水密性を確保するために内水切りシート１５が設けられている。また、下層の壁パネル１と上層の壁パネル２との間の空間部には、所要の断熱性を確保するための断熱材などを設けることもできる。
【００２４】
本実施例に係る自重受け金具８には、通しアングル７に対して取付け高さを変更できるように高さ調整手段が付設されている。即ち、図３に示すように、自重受け金具８の鉛直部９上部には孔１７が開穿され、該孔１７にはボルト１８が挿通されている。該ボルト１８の雄ねじ部にはナット１９が螺合している。又、ボルト１８の軸部には高さ調整プレート２０が回転可能に取り付けられ、高さ調整プレート２０の平面形状は、アンモナイト形に類似した多角形に形成されている。
【００２５】
高さ調整プレート２０の回転中心Cから高さ調整プレート２０の各外辺までの距離Lは、図２において、高さ調整プレート２０の回転方向にいくにつれて、漸次連続的に変化するように設定されている。よって、高さ調整プレート２０の回転位置を変更することにより、高さ調整プレート２０の最下辺に当接する通しアングル７に対する自重受け金具８の高さ位置が適宜調整される。
【００２６】
本実施例では、自重受け金具８の水平部１０には壁パネル２の下端面（下側小口面）が敷きプレート１３を介して載置固定されている。この敷きプレート１３により地震時などにおいて、自重受け金具８の水平面部１０上面に対して壁パネル２の相対移動（ロッキングの動き）が円滑になるように構成されている。
【００２７】
図４ないし図６は、本実施例に係る敷きプレート１３の構成例を示す。該敷きプレート１３は方形の平板部１３Aと、平板部１３Aの上面に固設された略コ字形又はΩ状の板バネ部（挟着部）１３Bとから成る。この板バネ１３Bは、その両側部が内側に弾性的に撓むことによって、敷きプレート１３にバネ作用が発生するように構成されている。
【００２８】
而して、敷きプレート１３を壁パネル２に取り付ける際は、敷きプレート１３の板バネ部１３Bを壁パネル２の仕切りリブ部２Aを両側から挟む込むことにより、壁パネル２に敷きプレート１３が取り付けられる。
【００２９】
以上説明したように、本実施例によれば、壁パネル２と自重受け金具８は、その間に介在させた敷きプレート１３により相対移動が円滑になる。そして、敷きプレート１３は、壁パネル２の内側において仕切りリブ部２Aをパネル長手方向両側から挟持して固定される。
【００３０】
本発明は、板バネ部１３Bの挟持力を利用して、敷きプレート１３を壁パネル２内側の仕切りリブ部２Aに取り付けるので、板バネ部１３Bのバネ力を従来に比べて小さくすることができる。
【００３１】
このように、敷きプレート１３は、壁パネル２内側の仕切りリブ部２Aに挟着され、且つ、敷きプレート１３の板バネ部１３Bの挟着力（圧接力）を小さくできる。従って、本発明は従来のように壁パネル２の壁面を傷付けることがなく、敷きプレート１３を確実容易に取り付けることができる。
【００３２】
また、敷きプレート１３は壁パネル２の仕切りリブ部２Aを該壁パネル２の長手方向両側から挟み込んで取り付けるので、例えば地震等により敷きプレート１３に前記長手方向の力が強く作用しても、敷きプレート１３が位置ずれ又はがたつきを生ずる恐れがなく、敷きプレート１３の取り付け安定性が著しく向上する。
【００３３】
更に、敷きプレート１３の平板部１３A下面は、表面が円滑な自重受け金具８に当接するので、壁パネル２のロッキングの動きが一層スムーズになり、特に、壁パネル同士の間に水切り材が介装されていても、水切りへの加重の負担がより効果的に低減される。
【００３５】
本発明は、本発明の精神を逸脱しない限り種々の改変を為すことができ、そして、本発明が該改変されたものに及ぶことは当然である。
【図面の簡単な説明】
【００３６】
［図１］本発明の一実施例に係る壁パネル構造を示す一部断面側面図。
［図２］一実施例に係る自重受け金具を示す正面図。
［図３］一実施例に係る自重受け金具を通しアングルを取り付けたときの状態を
示す一部断面側面図。
［図４］一実施例に係る壁パネルに敷きプレートを固定したときの状態を示す平
面図。
［図５］本発明に係る敷きプレートの正面図。
［図６］図５の右側面図。
［図７］従来の敷きプレートの使用例を示す斜視図。
【符号の説明】
【００３７】
２      壁パネル
２A    仕切りリブ部
３      中空部
４      建造物躯体
７      通しアングル
８      自重受け金具（壁パネル支持部材）
１３  敷きプレート
１３B    板バネ部
【図１】
0005294679.tif 000002
【図２】
0005294679.tif 000003
【図３】
0005294679.tif 000004
【図４】
0005294679.tif 000005
【図５】
0005294679.tif 000006
【図６】
0005294679.tif 000007
【図７】
0005294679.tif 000008